(57)【要約】  吸収性物品は、排泄物の存在を表すときに後続可視状態へと変化するように構成された、可視充満度表示エリアの第１の部分の第１の位置を含む。第１の位置において、第１の部分は第１の全幅を有する。吸収性物品は、排泄物の存在を表すときに後続可視状態へと変化するように構成された、可視充満度表示エリアの第２の部分の第２の位置を更に含む。第２の位置は第１の位置より外側にある。第２の位置は、第１の全幅より広い第２の全幅を有する。
2012513840.tif 000002
【特許請求の範囲】
【請求項１】
排泄物の存在を表すときに後続可視状態へと変化するように構成された、可視充満度表示エリアの第１の部分の第１の位置であって、前記第１の位置において、前記第１の部分は第１の全幅を有する、第１の位置と、
排泄物の存在を表すときに後続可視状態へと変化するように構成された、可視充満度表示エリアの第２の部分の第２の位置であって、前記第２の位置は前記第１の位置より外側にあり、前記第２の位置において、前記第２の部分は、前記第１の全幅よりも広い第２の全幅を有する、第２の位置と、
を含むことを特徴とする、吸収性物品。
【請求項２】
使い捨て着用可能吸収性物品である、請求項１に記載の吸収性物品。
【請求項３】
前記第１の部分が前記第２の部分と流体連通している、請求項１に記載の吸収性物品。
【請求項４】
前記第１の部分及び前記第２の部分が共に、単一の可視充満度表示エリアの一部である、請求項３に記載の吸収性物品。
【請求項５】
前記単一の可視充満度表示エリアが、実質的に細長い全体的形状を有する、請求項４に記載の吸収性物品。
【請求項６】
前記第１の部分が第１の可視充満度表示エリアに含まれ、前記第２の部分が、前記第１の可視充満度表示エリアから離間している第２の可視充満度表示エリアに含まれる、請求項１に記載の吸収性物品。
【請求項７】
前記第１の可視充満度表示エリアが前記第２の可視充満度表示エリアと流体連通している、請求項６に記載の吸収性物品。
【請求項８】
前記第２の可視充満度表示エリアが、前記第１の可視充満度表示エリアより外側にある、請求項６に記載の吸収性物品。
【請求項９】
排泄物の存在を表すときに後続可視状態へと変化するように構成された、可視充満度表示エリアの第３の部分の第３の位置を含み、前記第３の位置が前記第２の位置より外側にあり、前記第３の位置において、前記第３の部分が、前記第２の全幅より広い第３の全幅を有する、請求項１に記載の吸収性物品。
【請求項１０】
前記第１の部分が第１の可視充満度表示エリアの一部であり、前記第２の部分が第２の可視充満度表示エリアの一部であり、前記第３の部分が第３の可視充満度表示エリアの一部であり、前記第２の可視充満度表示エリアが前記第３の可視充満度表示エリアと流体連通している、請求項９に記載の吸収性物品。
【発明の詳細な説明】
【技術分野】
【０００１】
概して、本開示の実施形態は、吸収性物品の湿潤度表示に関する。特に、本開示の実施形態は、吸収性物品の可視充満度表示に関する。
【背景技術】
【０００２】
吸収性物品は、汗、血液、尿、経血等の液状排泄物を吸収することができる。吸収性物品は湿潤度インジケータを含むことができる。湿潤度インジケータは、物品中の液状排泄物の存在を示すことができる。
【発明の概要】
【発明が解決しようとする課題】
【０００３】
残念なことに、一部の吸収性物品用湿潤度インジケータはわかりにくい場合がある。湿潤度インジケータからのシグナルが正しく理解されないと、吸収性物品を交換するのが早すぎる場合がある。着用者が物品の収容力を十分に活用しない可能性がある。湿潤度インジケータからのシグナルが正しく理解されない場合には、吸収性物品を交換するのが遅すぎる場合がある。排泄物が物品の収容力を超えて、漏れが生じる可能性がある。
【課題を解決するための手段】
【０００４】
本開示は、理解しやすい湿潤度インジケータを有する吸収性物品を含む。該湿潤度インジケータは、複数の幅を有するので理解しやすい。
【０００５】
一例として、吸収性物品は、幅狭の内側（inboard）可視充満度表示エリアと、幅広の外側（outboard）可視充満度表示エリアとを有することができる。可視充満度表示エリアは、可視状態を順番に、即ち、最初に狭い内側可視充満度表示エリア、次に広い外側可視充満度表示エリア、といったように変化させることがでる。
【０００６】
変化した部分の幅は、吸収性物品がどの程度充満しているかを表すことができる。例えば、幅狭の内側部分の可視状態の変化は、吸収性物品がやや充満されたことを表すことができ、幅広の外側部分の可視状態の変化は、吸収性物品が充満に近づいていることを表すことができる。本開示全体を通して、特に指示がない限り、用語幅狭及び幅広は、互いに対して使用され、即ち、幅広は幅狭よりも幅が広く、幅狭は幅広よりも幅が狭い。これらの異なる幅における可視状態の変化は、異なる可視シグナルを提供することができる。これらの異なる可視シグナルは、程度の異なる充満度を表すものとして容易に理解されることができる。
【０００７】
複数の表示色を有する吸収性物品は、吸収性物品の充満度に関する確実性をもたらすのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【図面の簡単な説明】
【０００８】
【図１Ａ】本開示の実施形態による、可視充満度インジケータ（visual fullness indicator）を前側に有するパンツ型使い捨て着用可能吸収性物品。
【図１Ｂ】本開示の実施形態による、可視充満度インジケータを後側に有するパンツ型使い捨て着用可能吸収性物品。
【図１Ｃ】本開示の実施形態による、複数の可視充満度インジケータを有するパンツ型使い捨て着用可能吸収性物品。
【図２Ａ】本開示の実施形態による、可視充満度インジケータを前側に有する前側締結可能な使い捨て着用可能吸収性物品。
【図２Ｂ】本開示の実施形態による、可視充満度インジケータを後側に有する前側締結可能な使い捨て着用可能吸収性物品。
【図２Ｃ】本開示の実施形態による、複数の可視充満度インジケータを有する前側締結可能な使い捨て着用可能吸収性物品。
【図３Ａ】本開示の実施形態による、幅狭の第１の矩形可視充満度表示エリアと、より広い外側幅を有する第２の台形可視充満度表示エリアとを有する可視充満度インジケータを備える吸収性物品の一部分。
【図３Ｂ】本開示の実施形態による、図３Ａの可視充満度インジケータの表示の後続状態。
【図３Ｃ】本開示の実施形態による、図３Ｂの可視充満度インジケータの表示の後続状態。
【図３Ｄ】本開示の実施形態による、図３Ｃの可視充満度インジケータの表示の後続状態。
【図３Ｅ】本開示の実施形態による、図３Ｄの可視充満度インジケータの表示の後続状態。
【図４】本開示の実施形態による、幅狭の第１の矩形可視充満度表示エリアと、幅広の第２の矩形可視充満度表示エリアとを有する可視充満度インジケータを備える吸収性物品の一部分。
【図５】本開示の実施形態による、幅狭の内側末端部と幅広の外側末端部とを有する台形可視充満度表示エリアを有する可視充満度インジケータを備える吸収性物品の一部分。
【図６】本開示の実施形態による、幅狭の第１の矩形可視充満度表示エリアと、幅広の第２の矩形可視充満度表示エリアとを有し、第１の可視充満度表示エリアが第２の可視充満度表示エリアから離間している、吸収性物品の一部分。
【図７】本開示の実施形態による、幅狭の第１の矩形可視充満度表示エリアと、中間幅の第２の矩形可視充満度表示エリアと、幅広の第３の矩形可視充満度表示エリアとを有する吸収性物品の一部分。
【図８】本開示の実施形態による、幅狭の第１の矩形可視充満度表示エリアと、中間幅の第２の矩形可視充満度表示エリアと、幅広の第３の矩形可視充満度表示エリアとを有し、第１の可視充満度表示エリアと第２の可視充満度表示エリアと第３の可視充満度表示エリアとが互いに離間している、吸収性物品の一部分。
【発明を実施するための形態】
【０００９】
本開示の複数の表示幅は、あらゆる種類の吸収性物品で使用され得る。吸収性物品は、汗、血液、尿、経血等の液状排泄物を吸収することができる。吸収性物品は、製品又は材料であり得る。吸収性物品の例には、衛生保護、衛生用途、及び／又は創部のケアのための製品及び／又は材料が挙げられる。
【００１０】
一部の吸収性物品は使い捨てである。使い捨て吸収性物品は、一度使用した後に部分的又は全体的に廃棄されるように構成される。使い捨て吸収性物品は、汚れた物品又は物品の汚れた部分が復元又は再使用されることを意図していない（例えば、洗濯されることを意図していない）ように構成される。使い捨て吸収性物品の例には、包帯及び包帯剤などの創部のケア製品、並びにパッド及びライナーなどの女性用ケア製品が挙げられる。使い捨て吸収性物品は、本開示の実施形態を使用することができる。
【００１１】
一部の吸収性物品は着用可能である。着用可能な吸収性物品は、着用者の身体上に又は身体の周囲に着用されるように構成される。着用可能な吸収性物品は使い捨てであることもできる。使い捨て着用可能吸収性物品の例としては、使い捨ておむつ及び使い捨て失禁用下着が挙げられる。使い捨て着用可能吸収性物品は、着用者により着用されている間、排泄物を受容し収容することができる。一部の実施形態において、使い捨て着用可能吸収性物品は、トップシートと、吸収性コアと、外側カバーと、腰部開口部と、脚部開口部とを含むことができる。使い捨て着用可能吸収性物品は、本開示の実施形態を使用することができる。
【００１２】
吸収性物品の湿潤度インジケータの１つの種類は、可視充満度インジケータである。湿潤度インジケータは、液状排泄物の存在をその可視状態によって示すことができる場合に、可視であるとみなされる。本開示全体を通して、特に指定のない限り、液状排泄物の存在とは、可視湿潤度インジケータが可視状態を変化させるのに十分な液状排泄物濃度が存在することを指す。湿潤度インジケータは、液状排泄物が吸収性物品を満たした程度を示すことができる場合に、充満度インジケータと考えられる。可視充満度インジケータは、インジケータが可視状態を漸次変化させるようにインジケータに沿って移動する濡れ縁部（wet edge）によって、液状排泄物の存在を示すことができる。可視充満度インジケータは、インジケータが可視状態を漸次変化させるようにインジケータに沿って移動する濡れ縁部（wet edge）によって、液状排泄物の存在を示すことができる。可視充満度インジケータは、１つ以上の可視充満度表示エリアを含むことができる。表示エリアは、画定された連続的な２次元領域であり、その可視状態によって液状排泄物の存在を示すように構成される。例として、様々な実施形態において、インジケータは、一連の表示エリア又は表示エリアのパターンを含むことができる。
【００１３】
本開示の図は、本明細書に記載の要素、それらの部品、及びそれらの関係を例示することを意図しているが、これらの図は、特に指定のない限り、あらゆる特定の相対的又は絶対的サイズ又は寸法を例示することを意図していない。
【００１４】
図１Ａ〜図２Ｃは、それぞれが１つ以上のインジケータを有している、様々な使い捨て着用可能吸収性物品を示す。明瞭にするために、図１Ａ〜図２Ｃは、インジケータ又は使い捨て着用可能吸収性物品の全詳細を図示していない。図１Ａ〜図２Ｃの各インジケータは、本開示のインジケータの任意の実施形態であり得る。
【００１５】
図１Ａは、着用のために形成されるパンツ型使い捨て着用可能吸収性物品１００Ａの前側１０１及び側部１０３の外側斜視図を示す。パンツ型使い捨て着用可能吸収性物品１００Ａは、腰部開口部１０７と、脚部開口部１０８とを含む。吸収性物品１００Ａは、前側１０１に配置される長手方向に向けられている可視充満度インジケータ１３１を含む。
【００１６】
本開示全体を通して、パンツ型使い捨て着用可能吸収性物品への言及は、側面で締結可能な実施形態、又は締結具のない実施形態を指すことができる。パンツ型使い捨て着用可能吸収性物品への言及はまた、予備成形された腰部及び／又は脚部開口部を有する物品、あるいは予備成形されていない実施形態を指すことができる。したがって、パンツ型として説明される本開示の吸収性物品の各実施形態は、当業者には理解されるように、これらの様式のいずれかで構成され得る。
【００１７】
図１Ｂは、着用のために形成されるパンツ型使い捨て着用可能吸収性物品１００Ｂの側部１０３及び後側１０５の外側斜視図を示す。パンツ型使い捨て着用可能吸収性物品１００Ｂは、腰部開口部１０７と脚部開口部１０８とを含む。吸収性物品１００Ｂは、後側１０５に配置される長手方向に向けられている可視充満度インジケータ１３５を含む。
【００１８】
図１Ｃは、平面に展開されたパンツ型使い捨て着用可能吸収性物品１００Ｃの外側平面図を示す。使い捨て着用可能吸収性物品１００Ｃは、横方向中心線１１６で分けられる前側１０１と後側１０５とを含む。
【００１９】
図１Ｃでは、長手方向中心線１１３及び横方向中心線１１６が、使い捨て着用可能吸収性物品１００Ｃの相対位置を参照するための基準線を提供する。第１の位置が第２の位置よりも長手方向中心線１１３に近接するとき、第１の位置は、第２の位置に対して横方向内側１１２にあると考えることができる。同様に、第２の位置は、第１の位置から横方向外側１１１にあるものと考えることができる。第３の位置が第４の位置よりも横方向中心線１１６に近接するとき、第３の位置は、第４の位置に対して長手方向内側１１５にあると考えることができる。また、第４の位置は、第３の位置から長手方向外側１１４にあるものと考えることができる。
【００２０】
内側位置（inboard location）への言及は、横方向又は長手方向の制限なく、別の位置に対して横方向内側及び／又は長手方向内側にある、使い捨て着用可能吸収性物品１００Ｃの位置を指す。同様に、外側位置（outboard location）への言及は、横方向又は長手方向の制限なく、別の位置より横方向外側及び／又は長手方向外側にある、使い捨て着用可能吸収性物品１００Ｃの位置を指す。
【００２１】
使い捨て着用可能吸収性物品の中心を参照して、内側及び外側を理解することもできる。長手方向中心線１１３及び横方向中心線１１６は、使い捨て着用可能吸収性物品１００Ｃの中心１１９で交差する。ある位置が別の位置よりも中心１１９に近接している場合、このある位置は他方の位置に対して内側にあると考えることができる。このある位置は、横方向に若しくは長手方向で、又は横方向及び長手方向の両方で内側にあり得る。もう一方の位置は、このある位置より外側にあると考えることができる。このもう一方の位置は、横方向に若しくは長手方向で、又は横方向及び長手方向の両方で外側にあり得る。
【００２２】
図１Ｃは、それぞれ使い捨て着用可能吸収性物品１００Ｃに関し、横方向外側１１１、横方向内側１１２、長手方向外側１１４、及び長手方向内側１１５の相対方向を示す矢印を含んでいる。本開示全体を通して、長手方向寸法、測定値、線、又は方向への言及は、長手方向中心線１１３に対してほぼ又は完全に平行である寸法、測定値、線、又は方向を指し、横方向寸法、測定値、線、又は方向への言及は、横方向中心線１１６に対してほぼ又は完全に平行である寸法、測定値、線、又は方向を指す。上述のような相対位置を説明するための用語は、使い捨て着用可能吸収性物品に関して本開示全体を通して使用される。この用語は、当業者には理解されるように、種々のその他の吸収性物品にも同様に適用され得る。
【００２３】
使い捨て着用可能吸収性物品１００Ｃは、トップシート１０６と、外側カバー１０９と、獲得層１９１と、分配層１９３と、吸収性コア１９５とを含む。外側カバー１０９の一部分は、トップシート１０６の一部分と吸収性コア１９５の一部分とを図示するために、破られて示されている。吸収性コア１９５の一部分は、分配層１９３の一部分を図示するために、破られて示されている。分配層１９３の一部分は、獲得層１９１の一部分を図示するために、破られて示されている。
【００２４】
使い捨て着用可能吸収性物品１００Ｃは、様々な例示的な位置及び配向にある多数の可視充満度インジケータを含む。使い捨て着用可能吸収性物品１００Ｃは、前側１０１の長手方向中心線１１３に沿った、長手方向に向けられている可視充満度インジケータ１３１を含む。前側１０１はまた、長手方向中心線１１３と横方向中心線１１６との間に角度を成して配向された第１の角度付き可視充満度インジケータ１３２を含む。
【００２５】
使い捨て着用可能吸収性物品１００Ｃは、それぞれ横方向中心線１１６に沿った、第１の横方向に向けられた可視充満度インジケータ１３３と、第２の横方向に向けられた可視充満度インジケータ１３７とを含む。使い捨て着用可能吸収性物品１００Ｃは、後側１０５の長手方向中心線１１３に沿った、長手方向に向けられている可視充満度インジケータ１３５を更に含む。後側１０５はまた、それぞれが長手方向中心線１１３と横方向中心線１１６との間に角度を成して配向された、第３の角度付き可視充満度インジケータ１３４と第４の角度付き可視充満度インジケータ１３６とを含む。
【００２６】
使い捨て着用可能吸収性物品１００Ｃにおいて、可視充満度インジケータは、中心１１９から実質的に放射状に配向される。しかしながら、当業者には理解されるように、図１Ｃに例示されている位置及び配向に加えて、本開示の可視充満度インジケータは、吸収性物品内の種々の代替位置及び配向に配置されることができる。一例として、可視充満度インジケータは、パンツ型使い捨て着用可能吸収性物品内の、物品の着用者のピーポイント（pee point）と相対的な位置に配置され得る。
【００２７】
図２Ａは、着用のために形成される前側締結可能な使い捨て着用可能吸収性物品２００Ａの前側２０１及び側部２０３の外側斜視図を示している。前側締結可能な使い捨て着用可能吸収性物品２００Ａは、腰部開口部２０７と脚部開口部２０８とを含む。吸収性物品２００Ａは、前側２０１に配置された長手方向に向けられている可視充満度インジケータ２３１を含む。
【００２８】
本開示は前側締結可能な吸収性物品を参照しているが、本開示は、本明細書に記載のような複数の表示幅を有する吸収性物品の代替実施形態も想到し、該吸収性物品は後方締結可能である。したがって、前側締結可能であるとして説明される本開示の吸収性物品の各実施形態は、当業者には理解されるように、後方締結可能に構成されることも可能である。
【００２９】
図２Ｂは、着用のために形成される前側締結可能な使い捨て着用可能吸収性物品２００Ｂの側部２０３及び後側２０５の外側斜視図を示している。前側締結可能な使い捨て着用可能吸収性物品２００Ｂは、腰部開口部２０７と脚部開口部２０８とを含む。吸収性物品２００Ｂは、後側２０５に長手方向に向けられている可視充満度インジケータ２３５を含む。
【００３０】
図２Ｃは、平面に展開された前側締結可能な使い捨て着用可能吸収性物品２００Ｃの外側平面図を示している。使い捨て着用可能吸収性物品２００Ｃは、前側２０１と、後側２０５と、長手方向中心線２１３と、横方向中心線２１６とを含む。
【００３１】
使い捨て着用可能吸収性物品２００Ｃは、トップシート２０６と、外側カバー２０９と、獲得層２９１と、分配層２９３と、吸収性コア２９５とを含む。外側カバー２０９の一部分は、トップシート２０６の一部分と吸収性コア２９５の一部分とを図示するために、破られて示されている。吸収性コア２９５の一部分は、分配層２９３の一部分を図示するために、破られて示されている。分配層２９３の一部分は、獲得層２９１の一部分を図示するために、破られて示されている。
【００３２】
使い捨て着用可能吸収性物品２００Ｃは、様々な例示的な位置及び配向にある多数の可視充満度インジケータを含む。使い捨て着用可能吸収性物品２００Ｃは、前側２０１の長手方向中心線２１３に沿った、長手方向に向けられている可視充満度インジケータ２３１を含む。前側２０１はまた、長手方向中心線２１３と横方向中心線２１６との間に角度を成して配向された第１の角度付き可視充満度インジケータ２３２を含む。
【００３３】
使い捨て着用可能吸収性物品２００Ｃは、それぞれ横方向中心線２１６に沿った、第１の横方向に向けられた可視充満度インジケータ２３３と、第２の横方向に向けられた可視充満度インジケータ２３７とを含む。使い捨て着用可能吸収性物品２００Ｃは、後側２０５の長手方向中心線２１３に沿った、長手方向に向けられている可視充満度インジケータ２３５を更に含む。後側２０５はまた、それぞれ長手方向中心線２１３と横方向中心線２１６との間に角度を成して配向された、第３の角度付き可視充満度インジケータ２３４と、第４の角度付き可視充満度インジケータ２３６とを含む。
【００３４】
使い捨て着用可能吸収性物品２００Ｃにおいて、可視充満度インジケータは、中心２１９から実質的に放射状に配向される。しかしながら、当業者には理解されるように、図２Ｃに例示されている位置及び配向に加えて、本開示の可視充満度インジケータは、吸収性物品内の種々の代替位置及び配向に配置されることができる。一例として、可視充満度インジケータは、前側締結可能な使い捨て着用可能吸収性物品内の、物品の着用者のピーポイントと相対的な位置に配置され得る。
【００３５】
図３Ａは、平面に展開された吸収性物品３００の一部分３０８の外側平面図を示している。種々の実施形態において、吸収性物品３００は、パンツ型使い捨て着用可能吸収性物品又は前側締結可能な使い捨て着用可能吸収性物品などの使い捨て着用可能吸収性物品であることができる。図３Ａにおいて、一部分３０８は吸収性物品３００の他の部分から切り離して図示されているので、一部分３０８の外側縁部は折れ線である。参照用に、図３Ａは、吸収性物品３００の中心３１９、並びに吸収性物品３００の外側（outboard）３１７及び内側（inboard）３１８に関する相対方向を示す矢印を図示している。
【００３６】
吸収性物品３００の一部分３０８は、可視充満度インジケータ３２０を含む。可視充満度インジケータ３２０は、中心３１９からオフセットして配置される。種々の実施形態において、可視充満度インジケータの１つ以上の部分は、吸収性物品の中心近くに又は中心に配置され得る。例えば、単一の表示エリアは、吸収性物品の前側から、吸収性物品の中心を通って、吸収性物品の後側まで延在することができる。このような実施形態では、表示エリアに沿った最も遠い内側点は、２つのインジケータの内側末端部と考えることができる。
【００３７】
可視充満度インジケータ３２０は、内側末端部３２２と外側末端部３２３とを含む。可視充満度インジケータ３２０は、可視充満度インジケータ３２０に沿って内側末端部３２２から外側末端部３２３まで測定される全インジケータ長３２１を有する。可視充満度インジケータ３２０は、実質的に細長い全体的形状を有する。
【００３８】
種々の実施形態において、可視充満度インジケータ及び／又は表示エリアは、程度の差はあるが細長い全体的形状を有することができる。一部の実施形態では、インジケータ及び／又は表示エリアの一部分、若しくは複数の部分、又は全ては、直線状、曲線状、角度付き、セグメント化された、又は任意の規則的若しくは不規則的な幾何学的形状（例えば正方形、矩形、三角形、台形、八角形、六角形、星形、半円、四半円、半楕円形、四半楕円形、放射パターンなど）、認識可能な画像（例えば、文字、数字、単語、キャラクター、動物の顔、人の顔など）、又は別の認識可能な画像（例えば植物、自動車など）、別の形状、又はこれらの形状の組み合わせであり得る。また、種々の実施形態において、インジケータ及び／又は表示エリアは、その長さの一部分、若しくは複数の部分、又は全てにわたって異なる幅を有することができる。
【００３９】
可視充満度インジケータは、１つ以上の可視インジケータ及び／又は可視表示エリアの、視覚的に区別可能かつ認識可能な経路である。経路は、その可視状況において認識可能である。換言すれば、経路は、周辺エリアの見た目と比べたとき、はっきりと区別できかつ認識可能である。
【００４０】
可視充満度インジケータの経路は、２つの画定された末端部と、これら２つの末端部の間の中間部と、その一方の末端部から他方の末端部までの画定された長さとを有する。可視充満度インジケータは、１つ以上の幅を有することができ、この幅のそれぞれは規定長未満である。
【００４１】
可視充満度インジケータは、様々な形態に構成され得る。例えば、可視充満度インジケータは、経路に沿って配置された単一の連続的表示エリアによって形成されることができる。別の例として、可視充満度インジケータは、経路に沿って配置された複数の別個のインジケータ及び／又は別個の表示エリアによって形成されることができる。
【００４２】
可視充満度インジケータ３２０は、少なくとも、第１の可視充満度表示エリア３４０と第２の可視充満度表示エリア３６０とを含む。種々の実施形態において、可視充満度インジケータは、３つ以上の可視充満度表示エリアを含むことができる。
【００４３】
第１の可視充満度表示エリア３４０は、第１のエリア内側末端部３４２と、第１のエリア外側末端部３４３と、第１の可視充満度表示エリア３４０に沿って第１のエリア内側末端部３４２から第１のエリア外側末端部３４３まで測定される第１のエリア全長３４１とを含む。第１のエリア内側末端部３４２に近い位置にある第１の可視充満度表示エリア３４０の一部分において、第１の可視充満度表示エリア３４０は全幅３４４を有する。第１のエリア外側末端部３４３に近い位置にある第１の可視充満度表示エリア３４０の一部分において、第１の可視充満度表示エリア３４０は全幅３４５を有する。図３Ａの実施形態では、全幅３４４は全幅３４５に等しい。更に、第１の可視充満度表示エリア３４０は、第１のエリア全長３４１全体に沿って実質的に均一な幅を有する。第１の可視充満度表示エリア３４０は、実質的に細長くかつ実質的に矩形である全体的形状を有する。しかしながら、一部の実施形態では、可視充満度インジケータに関連して上述されたように、可視充満度表示エリアは、その長さの一部分、若しくは複数の部分、又は全てにわたって様々な形状及び様々な幅を有することができる。
【００４４】
第１の可視充満度表示エリア３４０に加えて、可視充満度インジケータ３２０は第２の可視充満度表示エリア３６０を含む。図３Ａの実施形態では、第２の可視充満度表示エリア３６０は、第１の可視充満度表示エリア３４０より外側３１７である。第２の可視充満度表示エリア３６０は、第２のエリア内側末端部３６２と、第２のエリア外側末端部３６３と、第２の可視充満度表示エリア３６０に沿って第２のエリア内側末端部３６２から第２のエリア外側末端部３６３まで測定される第２のエリア全長３６１とを含む。図３Ａの実施形態では、第２のエリア全長３６１は第１のエリア全長３４１より短い。一部の実施形態では、第２のエリア全長は、第１のエリア全長と等しいか、又は第１の可視充満度表示エリア全長より長くてもよい。
【００４５】
第２のエリア内側末端部３６２に近い位置にある第２の可視充満度表示エリア３６０の一部分において、第２の可視充満度表示エリア３６０は全幅３６４を有する。図３Ａの実施形態では、全幅３６４は全幅３４５に等しい。第２のエリア外側末端部３６３に近い位置にある第２の可視充満度表示エリア３６０の一部分において、第２の可視充満度表示エリア３６０は全幅３６５を有する。図３Ａの実施形態では、全幅３６５は、全幅３４４、３４５、及び３６４のそれぞれよりも大きい。第２の可視充満度表示エリア３６０は、実質的に細長くかつ実質的に台形である全体的形状を有する。
【００４６】
可視充満度インジケータ３２０は、全インジケータ長３２１全体に沿って吸収性物品３００の吸収性コアと連続的に流体連通している。種々の実施形態において、可視インジケータは、インジケータの一部分、若しくは複数の部分、又はほぼ全て、又は全てが、吸収性コアと流体連通しているように構成され得る。一部の実施形態では、可視インジケータは、インジケータの一部分、若しくは複数の部分、又はほぼ全て、又は全てが、吸収性コアと重なり合うように、あるいはインジケータの一部分、若しくは複数の部分、又はほぼ全て、又は全てが、吸収性コアと重なり合わないように構成され得る。
【００４７】
本開示全体を通して、流体連通は、液状物質がある要素又は位置から別の要素又は位置まで自由に通過できるようにする、構成された構造的関係を指すが、液体が通過する可能性があり得る共通要素に連結又は接合されるだけでは、ある要素又は位置が別の要素又は位置と流体連通しているとは必ずしもみなされない。この流体連通の定義は、以下の例によって更に説明される。
【００４８】
例えば、液状物質が、ある要素から接触部分を通って別の要素まで自由に通過することができるように、ある要素が別の要素と直接的な物理接触をするように構成される場合は、これらの要素は流体連通しているとみなされることができる。別の例として、液状物質が、ある要素から流体連通のための手段を通って別の要素まで自由に通過することができるように、ある要素が、流体連通のための手段によって別の要素に連結される場合、これらの要素は流体連通しているとみなされることができる。
【００４９】
更なる例として、ある要素が基材に連結され、別の要素が同じ基材に接続されるが、この基材が液状物質を自由に通過させない場合は、これらの要素は流体連通していないとみなされることができる。このことは、液体が自由に通過できない限り、液体が基材を通過する可能性があり得る場合にも当てはまる。これらの例を通して説明された液体連通の上記定義は、当業者には理解されよう。
【００５０】
本開示全体を通して、用語液状排泄物は、液状で出る任意の身体内物質（例えば尿）及び／又は任意の液体様身体内物質（例えば粘性が低い糞便）を指す。
【００５１】
図３Ａの実施形態では、第１の可視充満度表示エリア３４０及び第２の可視充満度表示エリア３６０は、共有境界線３５１で互いに直接隣接し、かつ互いに接触している。第１の可視充満度表示エリア３４０は、共有境界線３５１で第２の可視充満度表示エリア３６０と直接的に物理接触しているように構成される。
【００５２】
種々の実施形態において、可視充満度表示エリアの一部分、若しくは複数の部分、又は全ては、１つ以上の初期可視状態から１つ以上の後続可視状態へと変化するように構成され得る。また、本開示の実施形態では、可視充満度表示エリアの特定部分に関し、後続可視状態が第１の初期可視状態と視覚的に区別可能である限り、初期可視状態及び後続可視状態は、それぞれ任意の可視状態であることができる。
【００５３】
本開示全体を通して、用語可視状態は、標準的な照明条件において正常視力を有する裸眼のヒトが知覚することができる外観を指す。可視状態は、１つ以上の色、色の変化、模様、文字、数字、記号、デザイン、画像、及び／又はその他の視覚デバイスを含むことができる。色は、例えば赤、オレンジ、黄色、緑、青、紫等などの周知の色を含む。色の変化は、とりわけ、彩度、色相、及び輝度の変化を含む。参照しやすいようにこれら非公式な用語を使用するが、本開示の実施形態は、標準的な照明条件において正常視力を有する裸眼のヒトが知覚することができる全ての色を包含することを意図している。
【００５４】
本開示全体を通して、可視状態は、標準的な照明条件において正常視力を有する裸眼のヒトが見てすぐに異なっていると認識することができる場合に、視覚的に区別可能であると考えられる。一例として、標準的な照明条件において正常視力を有する裸眼のヒトは、青と黄色が異なる色であることを見てすぐに認識できなくてはならない。したがって、青及び黄色は、視覚的に区別可能な可視状態であると考えられる。別の例として、標準的な照明条件において正常視力を有する裸眼のヒトは、明るい色合いのオレンジと暗い色合いのオレンジが異なる色合いの色であることを見てすぐに認識可能であり得る。したがって、明るい色合いのオレンジ及び暗い色合いのオレンジは、視覚的に区別可能な可視状態であると考えられる。更なる例として、標準的な照明条件において正常視力を有する裸眼のヒトは、第１の模様と第２の模様が異なる可視状態であることを見てすぐに認識可能であり得る。したがって、第１の模様及び第２の模様は、視覚的に区別可能な可視状態であると考えられる。
【００５５】
なお更なる例として、標準的な照明条件において正常視力を有する裸眼のヒトは、文字を有する領域と空白領域が異なる可視状態であることを見てすぐに認識できるべきである。したがって、文字を有する領域及び空白領域は、視覚的に区別可能な可視状態であると考えられる。同様に、数字、記号、デザイン、画像、及び／又はその他の視覚デバイスを有する領域も、空白領域と、又は均一に色の付いた領域と、視覚的に区別可能であると考えられる。当業者には理解されるように、これらの例に加えて、これら以外の多くの可能な視覚的に区別可能な可視状態が存在する。
【００５６】
当業者には理解されるように、排泄物の存在を示すときに可視状態を変化させる表示エリアを含むように本開示の吸収性物品を構成することができる、いくつかの方法が存在する。例えば、吸収性物品は、次の米国特許に記載されるような可視充満度インジケータを含むように構成され得る：米国特許第４，０２２，２１１号、名称「Ｗｅｔｎｅｓｓ  ｉｎｄｉｃａｔｏｒ  ｆｏｒ  ａｂｓｏｒｂｅｎｔ  ｐａｄｓ」、１９７７年５月１０日にＴｉｍｍｏｎｓらに付与；米国特許第４，２３１，３７０号、名称「Ｄｉｓｐｏｓａｂｌｅ  ｄｉａｐｅｒ  ｔｙｐｅ  ｇａｒｍｅｎｔ  ｈａｖｉｎｇ  ｗｅｔｎｅｓｓ  ｉｎｄｉｃａｔｏｒ」、１９８０年１１月４日にＭｒｏｚらに付与；米国特許第４，３２７，７３１号、名称「Ｍｏｉｓｔｕｒｅ  ｉｎｄｉｃａｔｏｒ」、１９８２年５月４日にＰｏｗｅｌｌに付与；米国特許第４，６８１，５７６号、名称「Ｗｅｔｎｅｓｓ  ｉｎｄｉｃａｔｉｎｇ  ｈｏｔ−ｍｅｌｔ  ａｄｈｅｓｉｖｅ」、１９８７年７月２１日にＣｏｌｏｎらに付与；米国特許第４，７０５，５１３号、名称「Ｄｉｓｐｏｓａｂｌｅ  ｄｉａｐｅｒ  ｗｉｔｈ  ｗｅｔｎｅｓｓ  ｉｎｄｉｃａｔｏｒ」、１９８７年１１月１０日にＳｈｅｌｄｏｎらに付与；米国特許第４，７３８，６７４号、名称「Ｍｏｉｓｔｕｒｅ  ｉｎｄｉｃａｔｏｒ  ａｐｐａｒａｔｕｓ  ａｎｄ  ｍｅｔｈｏｄ」、１９８８年４月１９日にＴｏｄｄらに付与；米国特許第４，７４３，２３８号、名称「Ｗｅｔｎｅｓｓ  ｉｎｄｉｃａｔｉｎｇ  ｈｏｔ−ｍｅｌｔ  ａｄｈｅｓｉｖｅ」、１９８８年５月１０日にＣｏｌｏｎらに付与；米国特許第４，８９５，５６７号、名称「Ｗｅｔｎｅｓｓ  ｉｎｄｉｃａｔｉｎｇ  ｈｏｔ−ｍｅｌｔ  ａｄｈｅｓｉｖｅ」、１９９０年１月２３日にＣｏｌｏｎらに付与；米国特許第４，９３１，０５１号、名称「Ｗｅｔｎｅｓｓ  ｉｎｄｉｃａｔｏｒ」、１９９０年６月５日にＣａｓｔｅｌｌｏに付与；米国特許第５，０３５，６９１号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９１年７月３０日にＺｉｍｍｅｌらに付与；米国特許第５，０６６，７１１号、名称「Ｗｅｔｎｅｓｓ  ｉｎｄｉｃａｔｉｎｇ  ｈｏｔ−ｍｅｌｔ  ａｄｈｅｓｉｖｅ」、１９９１年１１月１９日にＣｏｌｏｎらに付与；米国特許第５，０８９，５４８号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９２年２月１８日にＺｉｍｍｅｌらに付与；米国特許第５，１６７，６５２号、名称「Ｍｏｉｓｔｕｒｅ  ｓｅｎｓｉｔｉｖｅ  ｆｉｌｍ」、１９９２年１２月１日にＭｕｅｌｌｅｒに付与；米国特許第５，３４２，８６１号、名称「Ｈｏｔ  ｍｅｌｔ  ｗｅｔｎｅｓｓ  ｉｎｄｉｃａｔｏｒ」、１９９４年８月３０日にＲａｙｋｏｖｉｔｚに付与；米国特許第５，３５４，２８９号、名称「Ａｂｓｏｒｂｅｎｔ  ｐｒｏｄｕｃｔ  ｉｎｃｌｕｄｉｎｇ  ｓｕｐｅｒ  ａｂｓｏｒｂｅｎｔ  ｍａｔｅｒｉａｌ  ａｎｄ  ｆｌｕｉｄ  ａｂｓｏｒｐｔｉｏｎ  ｃａｐａｃｉｔｙ  ｍｏｎｉｔｏｒ」、１９９４年１０月１１日にＭｉｔｃｈｅｌｌらに付与；米国���許第Ｈ１，３７６号、名称「Ｃａｐａｃｉｔｙ  ｉｎｄｉｃｉａ  ｆｏｒ  ａｂｓｏｒｂｅｎｔ  ａｒｔｉｃｌｅｓ」、１９９４年１１月１日にＯｓｂｏｒｎｅらに付与；米国特許第５，６４７，８６３号、名称「Ａｂｓｏｒｂｅｎｔ  ａｒｔｉｃｌｅ  ｗｉｔｈ  ｃｌｅａｎ  ａｐｐｅａｒａｎｃｅ  ａｎｄ  ｃａｐａｃｉｔｙ  ｓｉｇｎａｌ  ｍｅａｎｓ」、１９９７年７月１５日にＨａｍｍｏｎｓらに付与；米国特許第５，６９０，６２４号、名称「Ｄｉｓｐｏｓａｂｌｅ  ｄｉａｐｅｒ」、１９９７年１１月２５日にＳａｓａｋｉらに付与；米国特許第５．７６６，２１２号、名称「Ｄｉｓｐｏｓａｂｌｅ  ｄｉａｐｅｒ」、１９９８年６月１６日にＪｉｔｏｅらに付与；米国特許第６，０７５，１７８号、名称「Ａｂｓｏｒｂｅｎｔ  ａｒｔｉｃｌｅ  ｗｉｔｈ  ｗｅｔｎｅｓｓ  ｉｎｄｉｃａｔｏｒ」、２０００年６月１３日に付与；米国特許第６，５１５，１９４号、名称「Ｄｉａｐｅｒ  ｈａｖｉｎｇ  ｃｅｎｔｒａｌｌｙ−ｌｏｃａｔｅｄ  ｃｈｒｏｍａｔｏｇｒａｐｈｉｃ  ｌａｙｅｒ  ｗｉｔｈ  ｐｅｒｉｐｈｅｒａｌｌｙ−ｌｏｃａｔｅｄ  ｗｅｔｎｅｓｓ  ｉｎｄｉｃａｔｏｒ」、２００３年２月４日にＮｅａｄｉｎｇらに付与；米国特許第６，５９６，９１８号、名称「Ａｂｓｏｒｂｅｎｔ  ａｒｔｉｃｌｅｓ  ｈａｖｉｎｇ  ｗｅｔｎｅｓｓ  ｉｎｄｉｃａｔｉｎｇ  ｇｒａｐｈｉｃｓ  ａｎｄ  ｅｍｐｌｏｙｉｎｇ  ｍａｓｋｉｎｇ  ｔｅｃｈｎｉｑｕｅｓ」、２００３年７月２２日にＷｅｈｒｌｅらに付与；米国特許第６，６５３，５２２号、名称「Ｈｏｔ  ｍｅｌｔ  ａｄｈｅｓｉｖｅｓ  ｂａｓｅｄ  ｏｎ  ｓｕｌｆｏｎａｔｅｄ  ｐｏｌｙｅｓｔｅｒｓ  ｃｏｍｐｒｉｓｉｎｇ  ｗｅｔｎｅｓｓ  ｉｎｄｉｃａｔｏｒ」、２００３年１１月２５日にＢｌｕｍｅｎｔｈａｌらに付与；米国特許第６，７７２，７０８号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ」、１９９４年８月１０日にＫｌｏｆｔａらに付与；米国特許第６，９０４，８６５号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００５年６月１４日にＫｌｏｆｔａらに付与；米国特許第７，１５９，５３２号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００７年１月９日にＫｌｏｆｔａらに付与；米国特許第７，１７２，６６７号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月６日にＶｅｒｇｏｎａに付与；米国特許第７，１７８，５７１号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月２０日にＶｅｒｇｏｎａに付与；米国特許第７，３０６，７６４号、名称「Ｗｅｔｎｅｓｓ  ｉｎｄｉｃａｔｏｒ」、２００７年１２月１１日にＭｏｄｙに付与；及び米国特許第７，３３２，６４２号、名称「Ｄｉｓｐｏｓａｂｌｅ  ａｂｓｏｒｂｅｎｔ  ａｒｔｉｃｌｅｓ  ｈａｖｉｎｇ  ｐｒｉｎｔｅｄ  ｗｅｔｎｅｓｓ  ｉｎｄｉｃａｔｏｒｓ」、２００８年２月１９日にＬｉｕに付与（当該特許はそれぞれ参照により本明細書に組み込まれる）。
【００５７】
図３Ａの実施形態では、第１の可視充満度表示エリア３４０及び第２の可視充満度表示エリア３６０はそれぞれ、液状排泄物の存在を表すときに、１つ以上の初期可視状態から１つ以上の後続可視状態へと変化するように構成される。
【００５８】
吸収性物品は、吸収性物品が着用者により着用されると、可視表示エリアの一部分、若しくは複数の部分、又は全てが吸収性物品の外側から見えるように構成され得る。例えば、可視充満度表示エリアは、吸収性物品の外側カバーの外側を見たときに見ることができる。その結果、可視表示エリアの後続可視状態の少なくとも一部は、吸収性物品の外側から見える。
【００５９】
吸収性物品３００は、吸収性物品３００が着用者により着用されると、第１の可視充満度表示エリア３４０及び第２の可視充満度表示エリア３６０のそれぞれの一部分、若しくは複数の部分、又は全てが吸収性物品３００の外側から見えるように構成され得る。その結果、第１の後続可視状態の少なくとも一部及び第２の後続可視状態の少なくとも一部は、吸収性物品３００の外側から見える。
【００６０】
可視充満度インジケータ３２０は、図３Ｂ〜図３Ｅに図示されるように、第１の可視充満度表示エリア３４０及び第２の可視充満度表示エリア３６０が可視状態を漸次かつ順番に変化させるように構成され得る。最初に、第１の可視充満度表示エリア３４０は、吸収性物品３００の吸収性コアにおける液状排泄物の存在を第１の範囲まで示すときに、初期可視状態から後続可視状態へと変化することができる。第２に、第２の可視充満度表示エリア３６０は、吸収性物品３０の吸収性コアにおける液状排泄物の存在を第２の範囲まで示すときに、初期可視状態から後続可視状態へと変化することができる。可視充満度インジケータ３２０上の後続可視状態の部分的又は完全な有無は、吸収性物品３００の充満度を表すことができる。
【００６１】
第２の可視充満度表示エリア３６０は第１の可視充満度表示エリア３４０よりも広い幅を有するので、可視充満度インジケータ３２０は理解しやすい。可視充満度インジケータ３２０のより狭い内側幅及び広い外側幅は、吸収性物品３００の充満度に関する確実性をもたらすのを助けることができる。吸収性物品３００の充満度を知ることにより、着用者が吸収性物品の収容力を適切に利用した後に及び／又は吸収性物品が漏れそうになる前に、吸収性物品３００を交換することができる。広い外側幅を有する可視充満度表示エリアの利益は、以下に記載されるように図４、図５、及び図６の実施形態においても同様にもたらされる。
【００６２】
図３Ｂ〜図３Ｅは、様々な表示状態にある図３Ａの実施形態の可視充満度インジケータ３２０を示している。第１の可視充満度表示エリア３４０及び第２の可視充満度表示エリア３６０は、液状排泄物の存在下で可視状態を漸次かつ順番に変化させて、吸収性物品３００の充満度を表している。図３Ｂ〜図３Ｅでは、後続可視状態はハッチパターンで示されている。
【００６３】
図３Ｂは、図３Ａの可視充満度インジケータ３２０の表示の後続状態を示しており、第１の可視充満度表示エリア３４０の一部は、初期可視状態３２８から後続可視状態３２９へと変化して、吸収性物品３００の充満度を表している。図３Ｂでは、液状排泄物は、可視充満度インジケータ３２０の内側末端部３２２から第１の可視充満度表示エリア３４０の一部を通って濡れ縁部３５７Ｂまで可視状態を変化させるのに十分な濃度で、吸収性物品３００の吸収性コアの一部分を通過している。
【００６４】
本開示全体を通して、濡れ縁部は、吸収性物品の可視湿潤度インジケータに沿った境界を指し、この境界は、液状排泄物の存在の程度を表す。濡れ縁部の内側（inboard side）では、可視湿潤度インジケータは、可視湿潤度インジケータが可視状態を変化させるのに十分な濃度の液状排泄物の存在に直面している。濡れ縁部の外側（outboard side）では、可視湿潤度インジケータは、可視湿潤度インジケータが可視状態を変化させるのに十分な濃度の液状排泄物の存在にまだ直面していない。
【００６５】
図３Ｃは、図３Ｂの可視充満度インジケータ３２０の表示の後続状態を示しており、第１の可視充満度表示エリア３４０の全ては後続可視状態３２９へと変化し、第２の可視充満度表示エリア３６０の全ては初期可視状態３２８を保って、吸収性物品３００の充満度を表している。図３Ｃでは、液状排泄物は、可視充満度インジケータ３２０の内側末端部３３２から第１の可視充満度表示エリア３４０の全てを通って濡れ縁部３５７Ｃまで可視状態を変化させるのに十分な濃度で、吸収性物品３００の吸収性コアの一部分を通過している。
【００６６】
図３Ｄは、図３Ｃの可視充満度インジケータ３２０の表示の後続状態を示しており、第１の可視充満度表示エリア３４０の全ては後続可視状態３２９へと変化し、第２の可視充満度表示エリア３６０の一部は初期可視状態３２８から後続可視状態３２９へと変化して、吸収性物品３００の充満度を表している。図３Ｄでは、液状排泄物は、可視充満度インジケータ３２０の内側末端部３２２から第１の可視充満度表示エリア３４０の全てを通り、かつ第２の可視充満度表示エリア３６０の一部を通って濡れ縁部３５７Ｄまで可視状態を変化させるのに十分な濃度で、吸収性物品３００の吸収性コアの一部を通過している。
【００６７】
図３Ｅは、図３Ｄの可視充満度インジケータ３２０の表示の後続状態を示しており、第１の可視充満度表示エリア３４０の全ては後続可視状態３２９へと変化し、第２の可視充満度表示エリア３６０の全ては後続可視状態３２９へと変化して、吸収性物品３００の充満度を表している。図３Ｅでは、液状排泄物は、可視充満度インジケータ３２０の内側末端部３２２から第１の可視充満度表示エリア３４０の全てを通り、かつ第２の可視充満度表示エリア３６０の全てを通って、可視充満度インジケータ３２０の外側末端部３２３近くにある濡れ縁部３５７Ｅまで可視状態を変化させるのに十分な濃度で、吸収性物品３００の吸収性コアの一部を通過している。
【００６８】
全体として、図３Ｂ〜図３Ｅは、液状排泄物が吸収性物品３００を充満させた程度を表すために、可視充満度インジケータ３２０の可視充満度表示エリアが、は液状排泄物の存在下で可視状態を漸次及び順番に変化させることができることを示している。充満度を表すのに加えて、本開示の実施形態では、可視状態のこのような変化は、吸収性物品の残存吸収能力を表すシグナルとして及び／又は吸収性物品が漏れを起こすかもしれないリスクを表すシグナルとしても理解され得る。
【００６９】
本開示の可視充満度インジケータの適切な特定位置及び向き、並びに具体的な寸法及びその他の物理的特性は、特定の吸収性物品の充満度の程度、残存収容力、及び／又は漏れリスクを表す可視状態の変化シグナルをインジケータが提供するように選択され得る。種々の実施形態において、吸収性物品は、可視状態の変化シグナルを、充満度、収容力、及び／又は漏れリスクと相関させるしるしを含むことができる。特定の吸収性物品の充満度の程度、残存収容力、及び／又は漏れリスクは、参照により本明細書に組み込まれる、代理人整理番号１１２２２Ｑにより識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００９年１２月２３日出願）に記載のように決定されることができる。
【００７０】
第１の例として、種々の実施形態において、幅狭な可視充満度表示エリアの内側末端部は、吸収性物品が次の（ａ）、（ｂ）、及び／又は（ｃ）を有していることをこの内側末端部（即ち、この内側末端部に近接する濡れ縁部）における可視状態の変化が表すように、特定の位置に配置され得る：（ａ）約２５％、３０％、３５％、４０％、４５％、５０％、５５％、６０％、６５％、７０％、７５％、８０％、８５％、又はこれらの値のいずれかの間の任意の整数百分率、又はこれらの値のいずれかを用いた任意の範囲内の充満度；（ｂ）約７５％、７０％、６５％、６０％、５５％、５０％、４５％、４０％、３５％、３０％、２５％、２０％、１５％、又はこれらの値のいずれかの間の任意の整数百分率、又はこれらの値のいずれかを用いた任意の範囲内の残存収容力；及び／あるいは（ｃ）０％、５％、１０％、１５％、２０％、２５％、３０％、３５％、４０％、４５％、５０％、５５％、６０％、６５％、７０％、７５％、８０％、８５％を超える、又はこれらの値のいずれかの間の任意の整数百分率、又はこれらの値のいずれかを用いた任意の範囲内の漏れリスク。本明細書で使用するとき、用語「漏れリスク」は、物品が適当なサイズの着用者により適切に着用されている間に、液状排泄物が吸収性物品から漏出する確率を指し、この確率は、十分な人数の適当なサイズの着用者によって使用される十分な数の物品において測定される。例えば、物品の漏れの確率を判定するために、少なくとも１００人のユーザーが少なくとも５日間に相当する量の物品を使用すべきである。
【００７１】
幅狭な可視充満度表示エリアの内側末端部は、吸収性物品内の次の位置のいずれかに配置され得る：獲得層の外側縁部に対して８０ｍｍ、７０ｍｍ、６０ｍｍ、５０ｍｍ、４０ｍｍ、３０ｍｍ、２０ｍｍ、１０ｍｍ、又は５ｍｍ内側；獲得層の外側縁部；分配層の外側縁部に対して８０ｍｍ、７０ｍｍ、６０ｍｍ、５０ｍｍ、４０ｍｍ、３５ｍｍ、３０ｍｍ、２５ｍｍ、２０ｍｍ、１５ｍｍ、１０ｍｍ、又は５ｍｍ内側；分配層の外側縁部：吸収性コアの外側縁部に対して１４０ｍｍ、１３０ｍｍ、１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；あるいは吸収性コアの外側縁部。幅狭な可視充満度表示エリアの内側末端部はまた、吸収性物品内のこれらの値のいずれかの間の任意の整数ｍｍの位置、又はこれらの値のいずれかを用いた任意の範囲内に配置されることもできる。
【００７２】
第２の例として、種々の実施形態において、幅狭な可視充満度表示エリアの外側末端部は、吸収性物品が次の（ａ）、（ｂ）、及び／又は（ｃ）を有していることをこの外側末端部（即ち、この外側末端部に近接する濡れ縁部）における可視状態の変化が表すように、特定の位置に配置され得る：（ａ）３０％、３５％、４０％、４５％、５０％、５５％、６０％、６５％、７０％、７５％、８０％、８５％、９０％、又はこれらの値のいずれかの間の任意の整数百分率、又はこれらの値のいずれかを用いた任意の範囲内の充満度；（ｂ）７０％、６５％、６０％、５５％、５０％、４５％、４０％、３５％、３０％、２５％、２０％、１５％、１０％、又はこれらの値のいずれかの間の任意の整数百分率、又はこれらの値のいずれかを用いた任意の範囲内の残存収容力；及び／あるいは（ｃ）３０％、３５％、４０％、４５％、５０％、５５％、６０％、６５％、７０％、７５％、８０％、８５％、９０％、又はこれらの値のいずれかの間の任意の整数百分率、又はこれらの値のいずれかを用いた任意の範囲内の漏れリスク。
【００７３】
幅狭な可視充満度表示エリアの外側末端部は、吸収性物品内の次の位置のいずれかに配置され得る：獲得層の外側縁部に対して７０ｍｍ、６０ｍｍ、５０ｍｍ、４０ｍｍ、３０ｍｍ、２０ｍｍ、１０ｍｍ、又は５ｍｍ内側；獲得層の外側縁部；獲得層の外側縁部より５ｍｍ又は１０ｍｍ外側；分配層の外側縁部に対して７０ｍｍ、６０ｍｍ、５０ｍｍ、４０ｍｍ、３０ｍｍ、２５ｍｍ、２０ｍｍ、１５ｍｍ、１０ｍｍ、又は５ｍｍ内側；分配層の外側縁部；分配層の外側縁部より５ｍｍ又は１０ｍｍ外側；吸収性コアの外側縁部に対して１３０ｍｍ、１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；吸収性コアの外側縁部；あるいは吸収性コアの外側縁部より５ｍｍ又は１０ｍｍ外側。幅狭な可視充満度表示エリアの外側末端部はまた、吸収性物品内のこれらの値のいずれかの間の任意の整数ｍｍの位置、又はこれらの値のいずれかを用いた任意の範囲内に配置されることもできる。
【００７４】
第３の例として、種々の実施形態において、幅広な可視充満度表示エリアの外側末端部は、吸収性物品が次の（ａ）、（ｂ）、及び／又は（ｃ）を有していることをこの内側末端部（即ち、この内側末端部に近接する濡れ縁部）における可視状態の変化が表すように、特定の位置に配置され得る：（ａ）５０％、５５％、６０％、６５％、７０％、７５％、８０％、８５％、９０％、９５％、又はこれらの値のいずれかの間の任意の整数百分率、又はこれらの値のいずれかを用いた任意の範囲内の充満度；（ｂ）５０％、４５％、４０％、３５％、３０％、２５％、２０％、１５％、１０％、５％、又はこれらの値のいずれかの間の任意の整数百分率、又はこれらの値のいずれかを用いた任意の範囲内の残存収容力；及び／あるいは（ｃ）１０％、２０％、３０％、４０％、５０％、６０％、７０％、８０％、９０％、又はこれらの値のいずれかの間の任意の整数百分率、又はこれらの値のいずれかを用いた任意の範囲内の漏れリスク。
【００７５】
幅広な可視充満度表示エリアの内側末端部における可視状態の変化は、幅狭な可視充満度表示エリアの外側末端部における可視状態の変化によって表わされる充満度未満の、又はこれに等しい、又はこれを超える充満度を表し得る。幅広な可視充満度表示エリアの内側末端部における可視状態の変化は、幅狭な可視充満度表示エリアの外側末端部における可視状態の変化によって表わされる残存収容力を超える、又はこれに等しい、又はこれ未満の残存収容力を表し得る。幅広な可視充満度表示エリアの内側末端部における可視状態の変化は、幅狭な可視充満度表示エリアの外側末端部における可視状態の変化によって表わされる漏れリスクを超える、又はこれに等しい、又はこれ未満の漏れリスクを表し得る。
【００７６】
種々の実施形態において、物品の後側に配置される幅広な可視充満度表示エリアは、物品の前側に配置される吸収性コアの長手方向外側縁部を基準にして配置される内側末端部を有することができる。このように、幅広な可視充満度表示エリアは、着用者によって液状排泄物が物品にもたらされる物品の前側／中心点を基準に構成されることができる。例として、幅広な可視充満度表示エリアは物品の後側に配置されることができ、表示エリアの内側末端部は、物品の前側に配置された吸収性コアの長手方向外側縁部から２７５ｍｍ、２７０ｍｍ、２６０ｍｍ、２５０ｍｍ、２４０ｍｍ、２３０ｍｍ、２２０ｍｍ、２１０ｍｍ、２００ｍｍ、１９０ｍｍ、１８０ｍｍ、１７０ｍｍ、１６０ｍｍ、又は１５０ｍｍの距離に配置される。幅広な可視充満度表示エリアの内側末端部はまた、吸収性物品内のこれらの値のいずれかの間の任意の整数ｍｍの位置、又はこれらの値のいずれかを用いた任意の範囲内に配置されることもできる。
【００７７】
第４の例として、種々の実施形態において、幅広な可視充満度表示エリアの外側末端部は、吸吸収性物品が次の（ａ）、（ｂ）、及び／又は（ｃ）を有していることをこの内側末端部（即ち、この内側末端部に近接する濡れ縁部）における可視状態の変化が表すように、特定の位置に配置され得る：（ａ）５５％、６０％、６５％、７０％、７５％、８０％、８５％、９０％、９５％、約１００％、又はこれらの値のいずれかの間の任意の整数百分率、又はこれらの値のいずれかを用いた任意の範囲内の充満度；（ｂ）４５％、４０％、３５％、３０％、２５％、２０％、１５％、１０％、５％、約０％、又はこれらの値のいずれかの間の任意の整数百分率、又はこれらの値のいずれかを用いた任意の範囲内の残存収容力；及び／あるいは（ｃ）２０％、３０％、４０％、５０％、６０％、７０％、８０％、９０％、約１００％、又はこれらの値のいずれかの間の任意の整数百分率、又はこれらの値のいずれかを用いた任意の範囲内の漏れリスク。
【００７８】
幅広な可視充満度表示エリアの外側末端部は：獲得層の外側縁部に対して５０ｍｍ、４０ｍｍ、３０ｍｍ、２０ｍｍ、１０ｍｍ、又は５ｍｍ内側；獲得層の外側縁部；獲得層の外側縁部より５ｍｍ、１０ｍｍ、２０ｍｍ、又は３０ｍｍ外側；分配層の外側縁部に対して５０ｍｍ、４０ｍｍ、３０ｍｍ、２５ｍｍ、２０ｍｍ、１５ｍｍ、１０ｍｍ、又は５ｍｍ内側；分配層の外側縁部；吸収性コアの外側縁部に対して１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、又は１０ｍｍ内側；吸収性コアの外側縁部；あるいは吸収性コアの外側縁部より５ｍｍ、１０ｍｍ、２０ｍｍ、又は３０ｍｍ外側に配置され得る。幅広な可視充満度表示エリアの外側末端部はまた、吸収性物品内のこれらの値のいずれかの間の任意の整数ｍｍの位置、又はこれらの値のいずれかを用いた任意の範囲内に配置されることもできる。
【００７９】
上述された例示の実施形態のいずれかを、任意の実行可能な組み合わせで、本開示の任意の関連実施形態に適用することができることが想到される。
【００８０】
更に、一部の実施形態では、吸収性物品の使用説明書は、可視状態の変化シグナルと、充満度、収容力、及び／又は漏れリスクとの間の相関関係を説明することができる。例えば、そのような使用説明書は、吸収性物品のパッケージ上に、又は吸収性物品に付随する印刷物に提供され得る。更に、可視状態の変化シグナルと、充満度、収容力、及び／又は漏れリスクとの間の相関関係は、種々の広告媒体を介して伝えられることができる。
【００８１】
更に、本開示の実施形態は、比較的狭い内側幅と比較的広い外側幅とを有する可視充満度表示エリアを有する吸収性物品に関して描かれているが、本開示は、比較的広い内側幅と比較的狭い外側幅とを有して、反対の様式で構成された可視充満度表示エリアを有する吸収性物品の代替実施形態もまた想到する。即ち、開示された可視充満度インジケータのそれぞれ、及び可視充満度表示エリアの各グループに関し、内側方向及び外側方向は、例示された実施形態の逆であることも可能である。当業者には理解されるように、本開示の各実施形態は、この反対の様式で構成されることができる。これらの代替実施形態は、本明細書に記載のような充満度、収容力、及び／又は漏れリスクの種々の程度を表すように機能することもできる。
【００８２】
図４は、平面に展開された吸収性物品４００の一部分４０８の外側平面図を示している。種々の実施形態において、吸収性物品４００は、パンツ型使い捨て着用可能吸収性物品又は前側締結可能な使い捨て着用可能吸収性物品などの使い捨て着用可能吸収性物品であることができる。参照用に、図４は、吸収性物品４００の中心４１９、並びに吸収性物品４００の外側４１７及び内側４１８に関する相対方向を示す矢印を図示している。一部分４０８は、第１の可視充満度表示エリア４４０と第２の可視充満度表示エリア４６０とを含む。図４の実施形態の要素のそれぞれは、以下に示されることを除いて、図３Ａの実施形態の同様の番号の要素と同じように構成されている。
【００８３】
本開示全体を通じて、「同様の番号」という用語は、要素の標示の番号の下２桁が同じである、要素の標示間の対応を示すことが意図されている。要素の標示は、図面番号に対応して前に付ける数字が異なるにもかかわらず、及び特定の実施形態に対応してアルファベットの添え字が異なるにもかかわらず、同様の番号が付されていると考えられる。
【００８４】
第２のエリア内側末端部４６２に近い位置にある第２の可視充満度表示エリア４６０の一部分において、第２の可視充満度表示エリア４６０は全幅４６４を有する。第２のエリア外側末端部４６３に近い位置にある第２の可視充満度表示エリア４６０の一部分において、第２の可視充満度表示エリア４６０は全幅４６５を有する。図４の実施形態では、全幅４６４は全幅４６５に等しい。更に、第２の可視充満度表示エリア４４０は、第２のエリア全長全体に沿って実質的に均一な幅を有する。第２の可視充満度表示エリア４６０は、実質的に細長くかつ実質的に矩形である全体的形状を有する。
【００８５】
第１の可視充満度表示エリア４４０及び第２の可視充満度表示エリア４６０は、図３Ｂ〜図３Ｅに図示される実施形態と同様に、可視状態を漸次かつ順番に変化させることができる。第１の可視充満度表示エリア４４０及び／又は第２の可視充満度表示エリア４６０における後続可視状態の部分的又は完全な有無は、吸収性物品４００の充満度を表すことができる。
【００８６】
第２の可視充満度表示エリア４６０は第１の可視充満度表示エリア４４０よりも広い幅を有するので、可視充満度インジケータ４２０は理解しやすい。複数の表示幅は、吸収性物品４００の充満度に関する確実性をもたらすのを助けることができる。吸収性物品４００の充満度を知ることにより、着用者が吸収性物品の収容力を適切に利用した後に及び／又は吸収性物品が漏れそうになる前に、吸収性物品４００を交換することができる。
【００８７】
図５は、平面に展開された吸収性物品５００の一部分５０８の外側平面図を示している。種々の実施形態において、吸収性物品３００は、パンツ型使い捨て着用可能吸収性物品又は前側締結可能な使い捨て着用可能吸収性物品などの使い捨て着用可能吸収性物品であることができる。図５において、一部分５０８は吸収性物品５００の他の部分から切り離して図示されているので、一部分５０８の外側縁部は折れ線である。参照用に、図５は、吸収性物品５００の中心５１９、並びに吸収性物品５００の外側５１７及び内側５１８に関する相対方向を示す矢印を図示している。
【００８８】
吸収性物品５００の一部分５０８は、可視充満度インジケータ５２０を含む。可視充満度インジケータ５２０は、中心５１９からオフセットして配置される。可視充満度インジケータ５２０は、可視充満度表示エリア５５０を含む。
【００８９】
可視充満度表示エリア５５０は、エリア内側末端部５５２とエリア外側末端部５５３とを含む。エリア内側末端部５５２に近い位置にある可視充満度表示エリア５５０の一部分において、可視充満度表示エリア５５０は全幅５５４を有する。エリア外側末端部５５３に近い位置にある可視充満度表示エリア５５０の一部分において、可視充満度表示エリア５５０は全幅５５５を有する。図５の実施形態では、全幅５５５は、全幅５５４のそれぞれよりも大きい。可視充満度表示エリア５５０は、実質的に細長くかつ実質的に台形である全体的形状を有する。代替実施形態では、エリア内側末端部５５２は、可視充満度表示エリア５５０が実質的に三角形の全体的形状を有するように、先が細くなることができる。
【００９０】
可視充満度インジケータ５２０は、濡れ縁部によって液状排泄物の存在を表すことができ、この濡れ縁部は、可視充満度インジケータ５２０が漸次色を変化させるように、可視充満度インジケータ５２０に沿って継続的に移動する。可視充満度表示エリア５５０は、液状排泄物の存在を表すときに、１つ以上の初期可視状態から１つ以上の後続可視状態へと変化するように構成される。
【００９１】
吸収性物品５００は、吸収性物品５００が着用者により着用されると、可視充満度表示エリア５５０のそれぞれの一部分、若しくは複数の部分、又は全てが吸収性物品５００の外側から見えるように構成され得る。その結果、後続可視状態の少なくとも一部は、吸収性物品５００の外側から見える。
【００９２】
図３Ｂ〜図３Ｅに例示された実施形態と同様に、可視充満度インジケータ５２０は、可視充満度表示エリア５５０が可視状態を漸次変化させるように構成され得る。最初に、可視充満度表示エリア５５０は、吸収性物品５００における液状排泄物の存在を示すときに、エリア内側末端部５５２において初期可視状態から後続可視状態へと変化することができる。第２に、可視充満度表示エリア５５０は、吸収性物品５００内の液状排泄物の存在を示すときに、エリア外側末端部５５３において初期可視状態から後続可視状態へと変化することができる。可視充満度インジケータ５２０上の後続可視状態の部分的又は完全な有無は、吸収性物品５００の充満度を表すことができる。
【００９３】
可視充満度インジケータ５２０は広い外側幅と狭い内側幅とを有するので、可視充満度インジケータ５２０は理解しやすい。複数の表示幅は、吸収性物品５００の充満度に関する確実性をもたらすのを助けることができる。吸収性物品５００の充満度を知ることにより、着用者が吸収性物品の収容力を適切に利用した後に及び／又は吸収性物品が漏れそうになる前に、吸収性物品５００を交換することができる。
【００９４】
図６は、平面に展開された吸収性物品６００の一部分６０８の外側平面図を示している。種々の実施形態において、吸収性物品６００は、パンツ型使い捨て着用可能吸収性物品又は前側締結可能な使い捨て着用可能吸収性物品などの使い捨て着用可能吸収性物品であることができる。参照用に、図６は、吸収性物品６００の中心６１９、並びに吸収性物品６００の外側６１７及び内側６１８に関する相対方向を示す矢印を図示している。一部分６０８は、第１の可視充満度表示エリア６４０と第２の可視充満度表示エリア６６０とを含む。図６の実施形態の要素のそれぞれは、以下に示されることを除いて、図４の実施形態の同様の番号の要素と同じように構成されている。
【００９５】
図６の実施形態において、第２の可視充満度表示エリア６６０は、分離部分６５５によって第１の可視充満度表示エリア６４０から離間している。第１の可視充満度表示エリア６４０及び第２の可視充満度表示エリア６６０は、図３Ｂ〜図３Ｅに図示される実施形態と同様に、可視状態を漸次かつ順番に変化させることができる。第１の可視充満度表示エリア６４０及び／又は第２の可視充満度表示エリア６６０における後続可視状態の部分的又は完全な有無は、吸収性物品６００の充満度を表すことができる。
【００９６】
第２の可視充満度表示エリア６６０は第１の可視充満度表示エリア６４０よりも広い幅を有するので、可視充満度インジケータ６２０は理解しやすい。複数の表示幅は、吸収性物品６００の充満度に関する確実性をもたらすのを助けることができる。吸収性物品６００の充満度を知ることにより、着用者が吸収性物品の収容力を適切に利用した後に及び／又は吸収性物品が漏れそうになる前に、吸収性物品６００を交換することができる。
【００９７】
図７は、平面に展開された吸収性物品７００の一部分７０８の外側平面図を示している。種々の実施形態において、吸収性物品７００は、パンツ型使い捨て着用可能吸収性物品又は前側締結可能な使い捨て着用可能吸収性物品などの使い捨て着用可能吸収性物品であることができる。参照用に、図７は、吸収性物品７００の中心７１９、並びに吸収性物品７００の外側７１７及び内側７１８に関する相対方向を示す矢印を図示している。一部分７０８は、少なくとも、第１の可視充満度表示エリア７４０と第２の可視充満度表示エリア７６０とを含む可視充満度インジケータ７２０を含む。図７の実施形態の要素のそれぞれは、以下に示されることを除いて、図４の実施形態の同様の番号の要素と同じように構成されている。
【００９８】
第１の可視充満度表示エリア７４０及び第２の可視充満度表示エリア７６０に加えて、可視充満度インジケータ７２０は第３の可視充満度表示エリア７８０を含む。種々の実施形態において、可視充満度インジケータは、４つ以上の可視充満度表示エリアを含むことができる。
【００９９】
第３の可視充満度表示エリア７８０は、第２の可視充満度表示エリア７６０より外側７１７である。第３の可視充満度表示エリア７８０は、実質的に細長くかつ実質的に矩形である全体的形状を有する。第３の可視充満度表示エリア７８０は、その全長沿って実質的に均一な幅を有する。
【０１００】
図５の実施形態では、第２の可視充満度表示エリア７６０及び第３の可視充満度表示エリア７８０は、共有境界線で互いに直接隣接し、かつ互いに接触している。図７の実施形態では、第３の可視充満度表示エリア７８０は、液状排泄物の存在を表すときに、１つ以上の初期可視状態から１つ以上の後続可視状態へと変化するように構成される。
【０１０１】
吸収性物品７００は、吸収性物品７００が着用者により着用されると、第３の可視充満度表示エリア７８０の一部分、若しくは複数の部分、又は全てが吸収性物品７００の外側から見えるように構成され得る。その結果、後続可視状態の少なくとも一部は、吸収性物品７００の外側から見える。
【０１０２】
第１の可視充満度表示エリア７４０、第２の可視充満度表示エリア７６０、及び第３の可視充満度表示エリア７８０は、図３Ｂ〜図３Ｅに図示される実施形態と同様に、色を漸次かつ順番に変化させることができるが、第３の可視充満度表示エリア５８０の可視状態の変化を伴う。第１の可視充満度表示エリア７４０及び／又は第２の可視充満度表示エリア７６０及び／又は第３の可視充満度表示エリア７８０における後続可視状態の部分的又は完全な有無は、吸収性物品７００の充満度を表すことができる。
【０１０３】
第３の可視充満度表示エリア７８０は第２の可視充満度表示エリア６６０よりも広い幅を有し、第２の可視充満度表示エリア７６０は第１の可視充満度表示エリア７４０よりも広い幅を有するので、可視充満度インジケータ７２０は理解しやすい。複数の表示幅は、吸収性物品７００の充満度に関する確実性をもたらすのを助けることができる。吸収性物品７００の充満度を知ることにより、着用者が吸収性物品の収容力を適切に利用した後に及び／又は吸収性物品が漏れそうになる前に、吸収性物品７００を交換することができる。
【０１０４】
図８は、平面に展開された吸収性物品８００の一部分８０８の外側平面図を示している。種々の実施形態において、吸収性物品８００は、パンツ型使い捨て着用可能吸収性物品又は前側締結可能な使い捨て着用可能吸収性物品などの使い捨て着用可能吸収性物品であることができる。参照用に、図８は、吸収性物品８００の中心８１９、及び吸収性物品８００の外側８１７及び内側８１８に関する相対方向を示す矢印を図示している。一部分８０８は、第１の可視充満度表示エリア８４０と、第２の可視充満度表示エリア８６０と、第３の可視充満度表示エリア８８０とを含む。図８の実施形態の要素のそれぞれは、以下に示されることを除いて、図７の実施形態の同様の番号の要素と同じように構成されている。
【０１０５】
図８の実施形態において、第２の可視充満度表示エリア８６０は、分離部分８５５によって第１の可視充満度表示エリア８４０から離間しており、第３の可視充満度表示エリア８８０は、分離部分８７５によって第２の可視充満度表示エリア８６０から離間している。１つの代替実施形態では、第１の可視充満度表示エリアは、第２の可視充満度表示エリアと直接隣接し、かつ接触していることができ、第３の可視充満度表示エリアは依然として、第２の可視充満度表示エリアから離間している。別の代替実施形態では、第２の可視充満度表示エリアは、第３の可視充満度表示エリアと直接隣接し、かつ接触していることができ、第２の可視充満度表示エリアは依然として、第１の可視充満度表示エリアから離間している。
【０１０６】
図７の実施形態の第１の可視充満度表示エリア７４０、第２の可視充満度表示エリア７６０、及び第３の可視充満度表示エリア７８０に関連して記載したように、第１の可視充満度表示エリア８４０、第２の可視充満度表示エリア８６０、及び第３の可視充満度表示エリア８８０は、可視状態を漸次かつ順番に変化させることができる。
【０１０７】
本開示は、理解しやすい湿潤度インジケータを有する吸収性物品を含む。その結果、これらの湿潤度インジケータは、吸収性物品の充満度に関する確実性をもたらすのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【０１０８】
更に、本開示は、使い捨て着用可能吸収性物品などの吸収性物品が、本明細書に記載のように構成され、更に以下に記載のような様々な追加及び／又は代替構造及び／又は機能を有して構成される１つ以上の可視充満度表示エリアを有することができることを想到する。
【０１０９】
本開示の１つ以上の実施形態は、参照によりそれぞれが本明細書に組み込まれる、代理人整理番号１１２１７Ｑにより識別される米国特許本出願第１２／３４６，４４５号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００８年１２月３０日出願）、及び／又は代理人整理番号１１２１７ＲＱにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００９年１２月２３日出願）の１つ以上の実施形態と組み合わせられることができる。複数の表示幅及び複数の表示色を有する使い捨て着用可能吸収性物品。
【０１１０】
本開示の１つ以上の実施形態は、参照によりそれぞれが本明細書に組み込まれる、代理人整理番号１１２１９により識別される米国特許本出願第１２／３４６，４９６号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃｉａ」（２００８年１２月３０日出願）、及び／又は代理人整理番号１１２１９Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃｉａ」（２００９年１２月２３日出願）の１つ以上の実施形態と組み合わせられることができる。複数の表示幅を有する使い捨て着用可能吸収性物品は、一方の性に特化したしるしを有することも可能である。
【０１１１】
本開示の１つ以上の実施形態は、参照によりそれぞれが本明細書に組み込まれる、代理人整理番号１１２２０により識別される米国特許本出願第１２／３４６，５１０号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００８年１２月３０日出願）、及び／又は代理人整理番号１１２２０Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００９年１２月２３日出願）の１つ以上の実施形態と組み合わせられることができる。複数の表示幅を有する使い捨て着用可能吸収性物品は、一方の性に特化した表示を有することも可能である。
【０１１２】
本開示の１つ以上の実施形態は、参照によりそれぞれが本明細書に組み込まれる、代理人整理番号１１２２１Ｑにより識別される米国特許本出願第１２／３４６、５２０号、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００８年１２月３０日出願）、及び／又は代理人整理番号１１２２１ＲＱにより更に識別される米国特許本出願、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００９年１２月２３日出願）の１つ以上の実施形態と組み合わせられことができる。複数の表示幅を有する使い捨て着用可能吸収性物品は、表示のパターンを有することも可能である。
【０１１３】
本開示の１つ以上の実施形態は、参照によりそれぞれが本明細書に組み込まれる、代理人整理番号１１２２２ＰＱにより識別される米国特許仮出願第６１／１４１，５７３号、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００８年１２月３０日出願）、及び／又は代理人整理番号１１２２２ＭＱにより更に識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００９年１２月２３日出願）の１つ以上の実施形態と組み合わせられることができる。複数の表示幅を有する使い捨て着用可能吸収性物品は、一次及び二次表示を有することも可能である。
【０１１４】
本開示の１つ以上の実施形態は、参照によりそれぞれが本明細書に組み込まれる、代理人整理番号１１２２２Ｍ２Ｑにより識別される米国仮特許出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃｉａ」（２００９年１２月２３日出願）の１つ以上の実施形態と組み合わせられことができる。複数の表示幅を有する使い捨て着用可能吸収性物品は、一次及び二次のしるしを有することも可能である。
【０１１５】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１１６】
相互参照される又は関連するあらゆる特許又は出願を含め、本明細書において引用される全ての文献は、明示的に除外ないしは制限されない限り、参照によりその全体が本明細書に組み込まれる。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【０１１７】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
2012513840.tif 000003
【図１Ｂ】
2012513840.tif 000004
【図１Ｃ】
2012513840.tif 000005
【図２Ａ】
2012513840.tif 000006
【図２Ｂ】
2012513840.tif 000007
【図２Ｃ】
2012513840.tif 000008
【図３Ａ】
2012513840.tif 000009
【図３Ｂ】
2012513840.tif 000010
【図３Ｃ】
2012513840.tif 000011
【図３Ｄ】
2012513840.tif 000012
【図３Ｅ】
2012513840.tif 000013
【図４】
2012513840.tif 000014
【図５】
2012513840.tif 000015
【図６】
2012513840.tif 000016
【図７】
2012513840.tif 000017
【図８】
2012513840.tif 000018
【国際調査報告】
2012513840.tif 000019
2012513840.tif 000020
2012513840.tif 000021